(57)【要約】  本寝具は、ほぼ同じ大きさであり且つ整合状態に位置決めされる３つの布製区分を含む。２つの布製隔壁条片が上部布製区分と中間布製区分の間の一寸法に沿って延在し且つこれら区分に接続され、３つの内部空間を該区分間に形成する。２つの布製隔壁条片が下部布製区分と中間布製区分の間の、前記寸法に垂直な寸法に沿って延在し且つ同区分に接続され、同様に３つの内部空間を同区分間に形成する。緩い充填材が前記隔壁条片によって形成された全ての空間内に配置される。【選択図】図１
2009502361.tif 000002
【特許請求の範囲】
【請求項１】
寝具であって、前記寝具は、
第１、第２および第３の布製区分であって、前記第２の布製区分は前記第１および第３の布製区分の間に配置され、前記布製区分はすべてほぼ同じ大きさであり且つ整合状態に位置決めされている、第１、第２および第３の布製区分と、
互いに離間して配置された少なくとも２つの第１布製隔壁条片であって、前記寝具の実質的に１つの全体寸法に亘って延在し且つ前記第１および第２の布製区分の間に固定されている、少なくとも２つの第１布製隔壁条片と、
互いに離間して配置された少なくとも２つの第２布製隔壁条片であって、前記１つの寸法に対してほぼ垂直である、前記寝具の実質的に他の１つの全体寸法に亘って延在し且つ前記第３および第２の布製区分の間に固定されている、少なくとも２つの第２布製隔壁条片とを備えており、前記第１布製隔壁条片は、少なくとも３つの連続する内部空間を前記第１および第２の布製区分の間に形成し、前記第２布製隔壁条片は、少なくとも３つの連続する内部空間を前記第２および第３の布製区分の間に形成し、
前記内部空間の全てに、緩い充填材が配置されている、寝具。
【請求項２】
前記第１布製隔壁条片は、前記第１および第２の布製区分の間を前記寝具の長手方向に延在し、前記第２布製隔壁条片は、前記第２および第３の布製区分の間を前記寝具の横方向に延在する、請求項１に記載の寝具。
【請求項３】
前記第１および第２の布製区分の間の前記内部空間、または前記第３および第２の布製区分の間の前記内部空間は、実質的に等しい幅を有している、請求項１に記載の寝具。
【請求項４】
前記第１および第２の布製区分のうち少なくとも一方は、互いに固定された複数の個々の布片により形成される、請求項１に記載の寝具。
【請求項５】
前記第１および第２の布製区分の間の前記内部空間は、必ずしもすべてが等しい幅を有しておらず、前記第３および第２の布製区分の間の前記内部空間は、必ずしもすべてが等しい幅を有していない、請求項１に記載の寝具。
【請求項６】
前記第１および第２の布製区分の間には、前記第３および第２の布製区分の間とは異なる数の空間が設けられている、請求項１に記載の寝具。
【請求項７】
前記寝具が枕である、請求項１に記載の寝具。
【請求項８】
前記寝具が羽毛ベッドである、請求項１に記載の寝具。
【請求項９】
寝具であって、前記寝具は、
ほぼ同じ大きさであり且つ整合状態に位置決めされた第１、第２および第３の下部布製区分と、
前記第１および第２の布製区分を互いに接続する、互いに離間して配置された少なくとも２本の取り付け線であって、少なくとも３つの第１内部空間を前記第１および第２の布製区分の間に形成する取り付け線と、
前記第３および第２の層を互いに接続する、互いに離間して配置された少なくとも２本の取り付け線であって、少なくとも３つの第２内部空間を前記第３および第２の布製区分の間に形成する取り付け線とを備えており、前記第３および第２の布製区分の間の前記内部空間は前記第１および第２の布製区分の間の前記内部空間に対してほぼ垂直に延在しており、
前記内部空間の全てに、緩い充填材が配置されている、寝具。
【請求項１０】
前記第１内部空間は、前記寝具の長手方向寸法または横方向寸法のいずれかにおける、前記寝具の１つの寸法に沿って延在し、前記第２内部空間は、他の寸法に沿って延在する、請求項９に記載の寝具。
【請求項１１】
前記寝具は枕である、請求項９に記載の寝具。
【請求項１２】
前記寝具は羽毛ベッドである、請求項９に記載の寝具。
【請求項１３】
前記第１内部空間および前記第２内部空間は、それぞれ、必ずしもすべてが等しい幅を有していない、請求項９に記載の寝具。
【請求項１４】
緩衝材付き物品であって、前記物品は、
第１、第２および第３の区分であって、前記第２の布製区分は前記第１および第３の布製区分の間に配置され、前記布製区分はすべてほぼ同じ大きさであり且つ整合状態に位置決めされている、第１、第２および第３の区分と、
前記物品の実質的に１つの全体寸法に亘って延在し、前記第１および第２の布製区分を選択された取り付け線に沿って固定する、第１の手段と、
前記１つの寸法に対してほぼ垂直である、前記物品の実質的に他の１つの全体寸法に亘って延在し、前記第３および第２の布製区分を選択された取り付け線に沿って固定する、第２の手段とを備えており、前記第１の手段は少なくとも３つの連続する内部空間を前記第１および第２の布製区分の間に形成し、前記第２の手段は少なくとも３つの連続する内部空間を前記第２および第３の布製区分の間に形成し、
前記内部空間の全てに、緩い充填材が配置されている、緩衝材付き物品。
【請求項１５】
前記緩衝材付き物品が枕である、請求項１４に記載の緩衝材付き物品。
【請求項１６】
前記緩衝材付き物品が羽毛ベッドである、請求項１４に記載の緩衝材付き物品。
【請求項１７】
前記緩衝材付き物品が家具クッションである、請求項１４に記載の緩衝材付き物品。
【請求項１８】
前記第１および第２の手段が布製隔壁条片である、請求項１４に記載の緩衝材付き物品。
【請求項１９】
前記第１および第２手段が取り付け線である、請求項１４に記載の緩衝材付き物品。
【請求項２０】
前記第１および第２の手段のうち一方が布製隔壁条片であり、前記第１および第２の手段のうち他方が取り付け線である、請求項１４に記載の緩衝材付き物品。
【請求項２１】
寝具であって、前記寝具は、
第１、第２および第３の区分であって、前記第２の布製区分は前記第１および第３の布製区分の間に配置され且つ１つまたは複数の布片を含み、前記布製区分および布片はすべてほぼ同じ大きさであり且つ整合状態に位置決めされている、第１、第２および第３の区分と、
前記寝具の実質的に１つの全体寸法に亘って延在し、前記第１の布製区分および前記第２の布製区分の前記布片のうち少なくとも１つを選択された取り付け線に沿って固定する、第１の手段と、
前記１つの寸法に対してほぼ垂直である、前記寝具の実質的に他の１つの全体寸法に亘って延在し、前記第３の布製区分および前記第２の布製区分の前記布片のうち他の１つを選択された取り付け線に沿って固定する、第２の手段とを備えており、前記第１の手段は少なくとも３つの連続する内部空間を前記第１および第２の布製区分の間に形成し、前記第２の手段は少なくとも３つの連続する内部空間を前記第２および第３の布製区分の間に形成し、
前記内部空間の全てに、緩い充填材が配置されている、寝具。
【請求項２２】
前記第２の布製区分は２つの布片を含んでおり、前記第１の手段は前記第１の布製区分および１つの布片を互いに固定し、前記第２の手段は前記第３の布製区分および他の１つの布片を互いに固定し、前記１つの布片および前記他の１つの布片の間に内部容積を画定する、請求項２１に記載の寝具。
【請求項２３】
前記寝具が枕である、請求項２２に記載の寝具。
【発明の詳細な説明】
【技術分野】
【０００１】
本発明は概ね寝具類に関し、特に、上下部分を有しておりその各部分内に空間が形成されている、寝具類に関する。
【背景技術】
【０００２】
枕、クッションおよび羽毛ベッド、並びに家具クッション等、各種寝具類は、羽毛、ダウンおよびポリエステルその他の人工充填材、或いはそれらの様々な組み合わせのような緩い充填材により充填されることが多い。緩い充填材を使用するそのような寝具は、一般的にすぐれた快適性を有するが、充填材は、重量が加えられたときおよび／または寝具が圧縮された時に、寝具内で移動することが多い。使用中、特に長時間使用後には、充填材は圧縮箇所から移動したままとなろう。そのときに最大限の快適性を達成するには、寝具を叩いて膨らませることが必要とされる。しかし、一晩の睡眠時間中等、特定の使用時間中に、寝具を叩いて膨らませるのは実用的でない。
【発明の開示】
【発明が解決しようとする課題】
【０００３】
したがって、使用中の充填材の移動を減少させることによって、選択された使用時間中の寝具類の快適性を維持する格別の構成を有する寝具および関連物品を得ることが望ましい。
【課題を解決するための手段】
【０００４】
したがって、本発明の寝具は、第１、第２および第３の布製区分であって、前記第２の布製区分は前記第１および第３の布製区分の間に配置され、前記布製区分はすべてほぼ同じ大きさであり且つ整合状態に位置決めされた第１、第２および第３の布製区分と、前記寝具の実質的に１つの全体寸法に亘って延在し且つ前記第１および第２の布製区分の間に固定された、互いに離間する少なくとも２つの第１布製隔壁条片と、前記１つの寸法に対してほぼ垂直である、前記寝具の実質的に他の１つの全体寸法に亘って延在し且つ前記第３および第２の布製区分の間に固定された、互いに離間する少なくとも２つの第２布製隔壁条片とを備えており、前記第１の隔壁は少なくとも３つの連続する内部空間を前記第１および第２の布製区分の間に形成し、前記第２の隔壁は少なくとも３つの連続する内部空間を前記第２および第３の布製区分の間に形成し、前記空間の全てに、緩い充填材が配置されている。
【発明を実施するための最良の形態】
【０００５】
図１、２および３は、本発明の構造および構成を備える枕１０が示されている。枕１０は、上部１２および底部１４を含む。上部は、上層１６を含み、底部１４は下層１８を含む。上部および底部は、中間層２０を共有する。上層、中間層および下層は、形態が概ね矩形とされ、且つ実質的に同一とされる。その寸法は、枕の実際のサイズによって異なる。これらの層は、綿等、標準のかわ（ｔｉｃｋ）材料から製作される。しかし、他の布地も使用可能である。
【０００６】
上層１６と中間層２０の間には、枕の長手方向に延在する２つの可撓性布壁もしくは隔壁２２および２４が位置決めされている。隔壁２２、２４は、その長さに沿って中間層および上層に縫着され、上層と中間層の間の容積を３つの上部空間（ｃｈａｍｂｅｒ）２８、３０および３２に分割する。図示の実施形態においては、外側の空間２８および３２は同一の幅を有し、中間空間３０は、それより幾分幅広とされる。中間空間３０は、空間２８および３２より狭い幅を有していてもよい。これらの空間は、いずれも同一の幅であってもよく、或いはすべてが異なる幅を有することも可能である。
【０００７】
中間層２０と下層１８の間には、枕の横方向に延在する２つの離間配置された布製隔壁３６、３８が位置決めされる。隔壁３６、３８は、その長さに沿って中間層および下層に縫着され、下部空間４０、４２および４４を形成する。隔壁３６および３８は、２つの外側空間４０および４４が中間空間４２より僅かに狭い幅を有するように配置されているが、これらの空間は同一の幅を有していてもよく、すべてが異なる幅を有していてもよく、或いは空間４２が空間４０および４４より狭くてもよい。
【０００８】
図示の実施形態は単一の中間層を有しているが、２つの同一層を用いて、これらのうち一方を上層と共に使用し、一方を下層と共に使用することも可能である。これらの間の空間は埋めることができる。上層および下層は、単一の布片であってよく、或いは多色パネル等で継ぎ合わされて、様々な空間を示してもよい。
【０００９】
図示の形態は、枕全体内で合計９区分を形成する。上部および底部の隔壁の数は変更可能である。例えば、上部および底部のうち一方または両方の隔壁の数を２よりも多くすることによって、上部および底部のうちの一方または両方内に、３つより多い数の空間を形成してもよい。隔壁の数は上部と底部とでそれぞれ違っていてもよい。即ち、上部または底部のうちいずれか一方の隔壁の数をより多くしてもよい。通常、隔壁部材は枕の全距離（長さまたは幅）に亘って延在する。しかし、隔壁部材はそれより幾分短くてもよい。隔壁部材２２、２４および３６、３８は、綿、ポリエステルその他可撓性の織物材料から作ることができる。
【００１０】
上部の隔壁部材は、図示のように長手方向に、或いは横方向に延在することができる。底部の隔壁部材は、上部の隔壁部材に対してほぼ垂直である。
或いは、隔壁に代えて、上層および下層は直接中間層に、即ち、中間層と上層の間で隔壁２２および２４の線に沿って延在する縫合線、および中間層と下層を隔壁３６および３８の線に沿って接続する縫合線で縫合することが可能である。この実施形態は、図７に、上層４２、下層４４、中間層４６および幾つかの縫合線４８−４８と共に示されている。１つの変形例では、上部は隔壁を有し且つ底部は縫合線を有することができ、またはその逆とすることもできる。
【００１１】
図示の実施形態においては、空間同士は、枕の長手方向および枕の横方向に、互いに対してほぼ垂直に延在する。隔壁（ひいては空間）は、長手／横方向に対して傾斜していてもよいが、互いに対してはほぼ垂直とされるのがよい。次いで充填材が上部の三つの空間並びに底部の三つの空間内に配置される。充填材は、様々な材料、即ち、羽毛および／またはダウン等の天然充填材、もしくはポリエステルまたは類似の材料を含む人工充填材、もしくはそれらを組み合わせた材料とすることができる。図示の構成においては、各空間内の充填材はほぼ等しい重量とされる。空間の幅が等しい場合には、使用中の枕内の充填材移動防止による快適性及び支持性の維持という所望の結果を得るために、充填材の量を幾分変えられる。
【００１２】
図４から６は、同様の構造を組み込んだ羽毛ベッドを示す。この羽毛ベッドは、全体を符号５０で示し、上部５２を有し、複数の連続空間５４−５４が羽毛ベッド全長に亘り横方向（羽毛ベッドを横断する方向）に延在する。空間５４−５４は、羽毛ベッドの上層５６および中間層５８を縫合することによって形成される。図示の実施形態においては、そのような空間が合計８つあるが、この数は変更可能である。これらの空間は、羽毛ベッドの各端からその中心に向けて僅かに狭くなっている。
【００１３】
底部６０は、羽毛ベッドのほぼ全長に亘り長手方向に（羽毛ベッドの長さに沿って）延在する複数の空間６２−６２を含む。底部は、下層６３および中間層５８によって形成される。空間６２−６２は、下層６３を中間層５８に接続する縫合線によって形成される。図示の実施形態においては、長手方向に延びる空間が合計５つあるが、この数は変更可能である。長手方向に延びる空間の幅は幾分変えることができ、或いはこれらはすべて、実質的に等しい幅を有することもできる。
【００１４】
図示の羽毛ベッドの上部および底部の個々の空間は、上層および底層をそれぞれ中間層に直接接続する縫合線によって形成されるが、枕に関して図示し且つ説明したものと同様の隔壁部材もまた使用可能である。
【００１５】
クッションおよびファイバーベッド、その他を含めて、他の寝具類もまた、上述の構造的概念を使用して構築することが可能である。例えば、図８に、上層、中間層および下層７０、７２および７４を含む家具クッションを示す。隔壁７６−７６を使用して幾つかの空間を形成することができ、或いは層同士を前述のように縫合することもできる。所望の場合には、側部ガセット（ｇｕｓｓｅｔ）７８を含めることが可能である。
【００１６】
上部と底部、及び上部と底部内に形成された空間の、底部の空間が上部の空間に対して実質的に垂直に延在する配置は、通常の使用中に寝具が圧縮される間に生じる、寝具内の緩い充填材の望ましくない移動を防止するのに役立つ。
【００１７】
以上、本発明の好ましい実施形態を説明のために記載したが、様々な変形、変更および代替が、請求範囲により規定される本発明の理念の範囲内に組み入れ可能とされるものと理解されたい。
【図面の簡単な説明】
【００１８】
【図１】本発明の構造を示す枕の分解図である。
【図２】図１の枕の上層の平面図である。
【図３】図１の枕の下層の底面図である。
【図４】本発明による構造構成の一実施形態を含む羽毛ベッドの斜視図である。
【図５】図４の羽毛ベッドの上部の平面図である。
【図６】図４の羽毛ベッドの下部の底面図である。
【図７】本発明の他の実施形態の分解図である。
【図８】本発明を実施した家具クッションの透視図である。
【図１】
2009502361.tif 000003
【図２】
2009502361.tif 000004
【図３】
2009502361.tif 000005
【図４】
2009502361.tif 000006
【図５】
2009502361.tif 000007
【図６】
2009502361.tif 000008
【図７】
2009502361.tif 000009
【図８】
2009502361.tif 000010
【国際調査報告】
2009502361.tif 000011